(57)【要約】【課題】汎用性を向上させることができる照明装置を提供する。【解決手段】実施形態に係る照明装置は、発光部と、電源部と、カバー部材と、筐体とを具備する。発光部は、複数の発光素子と、複数の発光素子を実装する第１基板と、第１基板を支持する支持部材とを有する。電源部は、複数の点灯部品および複数の点灯部品を実装する第２基板を含み、複数の発光素子を点灯させる点灯部と、点灯部を保持する保持部材とを有する。カバー部材は、発光部および電源部を収容する。筐体は、取付面に取り付けられる第１部分と、カバー部材を保持する第２部分とを有する。第２基板は、複数の点灯部品よりも取付面側に配置される。【選択図】図３
2020119754.tif 000002
【特許請求の範囲】
【請求項１】
複数の発光素子と、前記複数の発光素子を実装する第１基板と、前記第１基板を支持する支持部材とを有する発光部と；
複数の点灯部品および前記複数の点灯部品を実装する第２基板を含み、前記複数の発光素子を点灯させる点灯部と、前記点灯部を保持する保持部材とを有する電源部と；
前記発光部および前記電源部を収容するカバー部材と；
取付面に取り付けられる第１部分と、前記カバー部材を保持する第２部分とを有する筐体と；
を具備し、
前記第２基板は、前記複数の点灯部品よりも取付面側に配置される、照明装置。
【請求項２】
前記カバー部材は、前記複数の発光素子から照射された光を拡散して出射させる拡散部と、前記拡散部よりも前記取付面側に配置され、前記電源部を収容する電源収容部と、前記拡散部と前記電源収容部との間に配置され、前記拡散部および前記電源収容部よりも幅方向の寸法が小さいくびれ部とを有する筒状部材であり、
前記電源部は、前記くびれ部の内面で支持される傾斜部を有する、請求項１に記載の照明装置。
【請求項３】
前記カバー部材の長さ方向の両端を塞ぎ、複数のネジ部材で固定される一対の閉塞部材；
を具備し、
前記ネジ部材は、前記くびれ部に対応する前記閉塞部材のくびれ部位に幅方向に並ぶ２つのネジ部材を含む、請求項１または２に記載の照明装置。
【請求項４】
前記支持部材の長さ方向の両端に配置された一対の保持金具；
を具備し、
前記支持部材および前記保持金具は、前記支持部材の長さ方向の変形を緩衝する一対の係止機構を有する、請求項１〜３のいずれか１つに記載の照明装置。
【発明の詳細な説明】
【技術分野】
【０００１】
本発明の実施形態は、照明装置に関する。
【背景技術】
【０００２】
光源を収容した筒状のケースの両端を塞いだ光源ユニットを本体に取り付けた照明装置が提案されている。
【先行技術文献】
【特許文献】
【０００３】
【特許文献１】特開２０１７−１０６３２号公報
【発明の概要】
【発明が解決しようとする課題】
【０００４】
従来の照明装置は、用途等に応じた形状や寸法を有しており、汎用性に乏しいものとなりがちであった。
【０００５】
本発明が解決しようとする課題は、汎用性を向上させることができる照明装置を提供することである。
【課題を解決するための手段】
【０００６】
実施形態に係る照明装置は、発光部と、電源部と、カバー部材と、筐体とを具備する。発光部は、複数の発光素子と、複数の発光素子を実装する第１基板と、第１基板を支持する支持部材とを有する。電源部は、複数の点灯部品および複数の点灯部品を実装する第２基板を含み、複数の発光素子を点灯させる点灯部と、点灯部を保持する保持部材とを有する。カバー部材は、発光部および電源部を収容する。筐体は、取付面に取り付けられる第１部分と、カバー部材を保持する第２部分とを有する。第２基板は、複数の点灯部品よりも取付面側に配置される。
【発明の効果】
【０００７】
本発明によれば、汎用性を向上させることができる。
【図面の簡単な説明】
【０００８】
【図１】図１は、第１の実施形態に係る照明装置の外観例を示す斜視図である。
【図２】図２は、第１の実施形態に係る照明装置を示す分解斜視図である。
【図３】図３は、図１のＡ−Ａ断面図である。
【図４】図４は、照明部の内部構成を示す分解斜視図である。
【図５】図５は、第１の実施形態に係る照明装置を示す側面図である。
【図６】図６は、第２および第３の実施形態に係る照明装置が有する筐体の構成の一例を模式的に示す斜視図である。
【発明を実施するための形態】
【０００９】
以下に説明する実施形態に係る照明装置１は、照明部５０と筐体５とを具備する。照明部５０は、複数の発光素子６２を有する。筐体５は、板状であり、第１部分（取付部１０）と、一対の第２部分（収容部２０）と、一対の第３部分（反射部３０）とを有する。第１部分は、取付面（天井面１００）に対向して配置される。一対の第２部分は、第１部分の幅方向の両端から幅方向に交差する厚み方向に屈曲し、照明部５０を収容する。一対の第３部分は、一対の第２部分の各端部から取付面側に屈曲する。筐体５は、取付面側の幅方向の寸法Ａが、厚み方向の寸法Ｂよりも大きく、取付面と第３部分とのなす第１角度θ１が、第２部分と第３部分とのなす第２角度θ２よりも大きい。
【００１０】
以下に説明する実施形態に係る照明部５０は、筐体５から厚み方向に突出するカバー部材５１を有し、筐体５から突出するカバー部材５１の幅方向の端面５１ｃと取付面とは、第１角度θ１とは異なる角度をなす。
【００１１】
以下に説明する実施形態に係る照明装置１は、複数の発光素子６２と、基板６１と、支持部材６３と、点灯部７６とを具備する。基板６１は、複数の発光素子６２を実装する。支持部材６３は、基板６１を一面側に配設させる保持部６３ａを有する。点灯部７６は、保持部６３ａの背面側から離間して配設され、複数の発光素子６２を点灯させる。
【００１２】
以下に説明する実施形態に係る照明装置１は、点灯部７６を保持し、保持部６３ａよりも長さ方向の寸法が小さい保持部材７７を具備する。
【００１３】
以下に説明する実施形態に係る点灯部７６は傾斜部７２を有し、支持部材６３と厚み方向に重なり合って配設されている。支持部材６３は、傾斜部７２に沿って長さ方向に延びる支持部６３ｃを有する。
【００１４】
以下に説明する実施形態に係る照明装置１は、発光部６０と、電源部７０と、カバー部材５１と、筐体５とを具備する。発光部６０は、複数の発光素子６２と、複数の発光素子６２を実装する第１基板（基板６１）と、第１基板を支持する支持部材６３とを有する。電源部７０は、複数の点灯部品７４および複数の点灯部品７４を実装する第２基板（基板７５）を含み、複数の発光素子６２を点灯させる点灯部７６と、点灯部７６を保持する保持部材７７とを有する。カバー部材５１は、発光部６０および電源部７０を収容する。筐体５は、取付面（天井面１００）に取り付けられる第１部分（取付部１０）と、カバー部材５１を保持する第２部分（収容部２０）とを有する。第２基板は、複数の点灯部品７４よりも取付面側に配置される。
【００１５】
以下に説明する実施形態に係るカバー部材５１は、筒状部材であり、拡散部５１ｄと、電源収容部５１ａと、くびれ部５１ｂとを有する。拡散部５１ｄは、複数の発光素子６２から照射された光を拡散して出射させる。電源収容部５１ａは、拡散部５１ｄよりも取付面側に配置され、電源部７０を収容する。くびれ部５１ｂは、拡散部５１ｄと電源収容部５１ａとの間に配置され、拡散部５１ｄおよび電源収容部５１ａよりも幅方向の寸法が小さい。電源部７０は、くびれ部５１ｂの内面で支持される傾斜部７２を有する。
【００１６】
以下に説明する実施形態に係る照明装置１は、一対の閉塞部材５２、５３を具備する。一対の閉塞部材５２、５３は、カバー部材５１の長さ方向の両端を塞ぎ、複数のネジ部材５７で固定される。ネジ部材５７は、くびれ部５１ｂに対応する閉塞部材５２、５３のくびれ部位（第２部位５３ｂ）に幅方向に並ぶ２つのネジ部材５７ｂ、５７ｃを含む。
【００１７】
以下に説明する実施形態に係る照明装置１は、支持部材６３の長さ方向の両端に配置された一対の保持金具８０、８１を具備する。支持部材６３および保持金具８０、８１は、支持部材６３の長さ方向の変形を緩衝する一対の係止機構（ガイド穴６３ｅ、突出部８２）を有する。
【００１８】
以下に、本発明に係る実施形態を図面に基づき説明する。なお、以下に示す各実施形態は、本発明が開示する技術を限定するものではない。また、以下の説明において、同一構成には同一符号を付与して後出の説明を適宜省略する。
【００１９】
［第１の実施形態］
図１は、第１の実施形態に係る照明装置の外観例を示す斜視図である。図１に示すように、照明装置１は、筐体５と、照明部５０と、側板４０、４１とを有する。
【００２０】
なお、説明を分かりやすくするために、図１には、鉛直下向きを正方向とし、鉛直上向きを負方向とするＺ軸を含む３次元の直交座標系を図示している。また、Ｘ軸は照明装置１の幅方向に、Ｙ軸は照明装置１の長さ方向に、それぞれ沿うように図示している。かかる直交座標系は、後出の説明に用いる他の図面でも示す場合がある。
【００２１】
照明装置１は、筐体５の第１部分としての取付部１０が、取付面の一例である天井面１００（図３参照）へ設置され、照明部５０から出力される光が照射面の一例である床面へと照射される天井直付けタイプの照明装置である。照明装置１は、例えば軒下や屋外通路など、防湿性が要求される箇所で使用される。
【００２２】
次に、図１〜図３を用いて、照明装置１の詳細な構成についてさらに説明する。図２は、第１の実施形態に係る照明装置を示す分解斜視図である。図３は、図１のＡ−Ａ断面図である。
【００２３】
［筐体］
筐体５は、複数の箇所で屈曲された形状を有する板状の部材である。筐体５は、第１部分としての取付部１０と、照明部５０を収容する一対の第２部分としての収容部２０と、照明部５０から出力される光を反射する一対の第３部分としての反射部３０とを有する。収容部２０は、取付部１０の幅方向（Ｘ軸方向）の両端から厚み方向（Ｚ軸方向）に屈曲する部分である。一対の反射部３０は、一対の収容部２０の幅方向（Ｘ軸方向）の各端部から天井面１００側（Ｚ軸負方向側）に屈曲する部分である。
【００２４】
ここで、筐体５は、例えば、天井面１００側の幅方向の寸法Ａが、厚み方向の寸法Ｂよりも大きい。また、筐体５は、天井面１００と反射部３０とのなす第１角度θ１が、収容部２０と反射部３０とのなす第２角度θ２よりも大きい。このような筐体５を有することにより、照明装置１の特に幅方向の形状を小型化することができる。また、かかる形状を有する筐体５は、例えば小型化や長尺化した場合であっても成形が容易である。なお、筐体５の形状は、例えば所望する放熱性や外観形状等に応じたサイズの空間Ｓ１を有するようにしてもよい。
【００２５】
また、筐体５は、長さ方向の両端に切欠部３１、３２をそれぞれ有する。切欠部３１、３２は、照明部５０の後述する閉塞部材５２、５３と接触または近接する位置に配置され、例えば筐体５と閉塞部材５２、５３との緩衝による変形や防湿性の低下等の不具合を防止する。
【００２６】
［側板］
側板４０、４１は、筐体５の長手方向の端部に配置される。側板４０、４１は、例えば耐熱性および防錆性を有する金属製または樹脂製の部材で構成される。なお、側板４１（および４０）は、側板４０、４１を固定するための貫通孔４１ａを有する。
【００２７】
［照明部］
照明部５０は、カバー部材５１と、閉塞部材５２、５３と、止水パッキン５４、５５と、発光部６０と、電源部７０と、保持金具８０、８１とを有する。発光部６０および電源部７０は、筒状に形成されたカバー部材５１の内部に収容されている。また、カバー部材５１の長さ方向（Ｙ軸方向）の両端部分には一対の保持金具８０、８１、一対の止水パッキン５４、５５および一対の閉塞部材５２、５３が順に配置されており、カバー部材５１に収容された発光部６０および電源部７０に対する耐湿性が実現される。
【００２８】
（カバー部材）
カバー部材５１は、例えば、アクリルやポリカーボネート等の透光性の材料から作られている。カバー部材５１は、フロスト処理が施されて発光部６０から出射される光を拡散する機能を有するようになっている。なお、カバー部材５１に適宜拡散材や着色剤を混入させてもよい。
【００２９】
カバー部材５１は、天井面１００側に配置される電源収容部５１ａと、照射面側に配置され、筐体５から厚み方向に突出する拡散部５１ｄと、電源収容部５１ａと拡散部５１ｄとの間に配置されるくびれ部５１ｂとを有する。また、筐体５から突出するカバー部材５１の幅方向の端面５１ｃと天井面１００とは、ほぼ直角であり、鋭角である第１角度θ１とは異なる角度をなす。このように端面５１ｃと天井面１００との角度を第１角度θ１と異ならせることにより、例えば照射面側だけでなく端面５１ｃを介して照明部５０の幅方向にも光が出射されやすくなるため、例えば、照明装置１の演色効果を高めることができる。また、カバー部材５１がこのような端面５１ｃを有することにより、例えば筐体５に対する照明部５０の取り外しが容易になる。なお、カバー部材５１、特に拡散部５１ｄの形状は、例えば所望の配光が得られるよう空間Ｓ３の形状を適宜変更してもよい。また、カバー部材５１の部位に応じて透光性を変更させてもよい。
【００３０】
（発光部）
発光部６０は、第１基板としての基板６１と、複数の発光素子６２と、支持部材６３とを有する。基板６１は、長尺の略長方形状に形成されている。基板６１は、絶縁材であるガラスエポキシ基板やガラスコンポジット基板の平板からなり、表面側には銅箔で形成された配線パターンが形成されている。基板６１の材料は、絶縁材とする場合には、セラミックス材料や他の合成樹脂材料を適用できる。また、基板６１を金属製とする場合は、アルミニウム等の熱伝導性が良好で放熱性に優れたべース板の一面に絶縁層が積層された金属製のべース基板を適用できる。なお、基板６１は、長さ方向（Ｙ軸方向）に複数並べて配置させてもよい。
【００３１】
また、基板６１の表面上には、全面に亘って白色のレジスト層を形成するのが好ましい。このレジスト層は、反射層として作用し、発光素子６２から出射される光のうち、基板６１の表面に向かう光を前面側に反射させることができ、発光素子６２から出射される光を有効に利用することができる。
【００３２】
複数の発光素子６２は、基板６１の長さ方向に沿うように所定の間隔で配置されている。なお、発光素子６２の配列は一列であってもよく、二列以上であってもよい。また、発光素子６２は、例えば、基板６１の長さ方向に沿って、配列方向と交差する幅方向へ位置が交互にずらされた、いわゆる千鳥配列にされてもよい。
【００３３】
また、複数の発光素子６２は、Ｚ軸方向の位置がカバー部材５１の端面５１ｃのうち、天井面１００寄りとなるように配置されているが、これに限らず、例えば端面５１ｃの照射面寄りに配置されてもよく、また、くびれ部５１ｂの照射面寄りに配置されてもよい。また、複数の発光素子６２の配置に応じて、筐体５の厚み方向の寸法を適宜変更させてもよい。
【００３４】
発光素子６２は、ＬＥＤであり、表面実装型のＬＥＤパッケージである。概略的にはセラミックスや耐熱性の合成樹脂で形成された本体に配設されたＬＥＤチップと、このＬＥＤチップを封止するエポキシ系樹脂やシリコーン樹脂等のモールド用の透光性樹脂とを含む。
【００３５】
ＬＥＤチップは、例えば、青色光を発する青色のＬＥＤチップである。透光性樹脂には、蛍光体が混入されており、白色光を出射できるようにするために、青色の光とは補色の関係にある黄色系の光を放射する黄色蛍光体が使用されている。なお、ＬＥＤチップは、例えば赤色光や緑色光、あるいは白色光を発するものであってもよい。また、透光性樹脂は、乳白色を有し、光を拡散させる拡散部材であってもよい。
【００３６】
ＬＥＤは、砲弾型のＬＥＤを実装するようにしてもよく、実装方式や形式は、特に限定されるものではない。
【００３７】
支持部材６３は、例えば、金属製のシャーシであり、保持部６３ａと、接続部６３ｂと、支持部６３ｃと、電源取付部６３ｄとを含む。保持部６３ａは、複数の発光素子６２が実装された基板６１を保持する。基板６１は、図示しない固定手段によって保持部６３ａに取り付けられている。複数の発光素子６２で発生した熱は、基板６１を介して支持部材６３に伝わり、放熱される。
【００３８】
支持部６３ｃは、Ｙ軸方向から見てＸ軸方向およびＺ軸方向に対して斜めに形成されている。支持部材６３は、電源収容部５１ａおよびくびれ部５１ｂで形成されるカバー部材５１の内面側の凸部５１ｅに支持部６３ｃが当接することで基板６１に実装された複数の発光素子６２が予め定められた位置に配置される。
【００３９】
接続部６３ｂは、保持部６３ａの幅方向（Ｘ軸方向）の両端からＺ軸方向に沿うように延び、保持部６３ａと支持部６３ｃとを接続する。接続部６３ｂは、後述する点灯部７６が保持部６３ａと離間して配置される程度の寸法を有する。このため、汎用性を向上させることができ、例えば小型化した場合であっても、発光部６０の放熱性の低下が抑制される。
【００４０】
電源取付部６３ｄは、支持部材６３の幅方向（Ｘ軸方向）の両端に配置される。電源取付部６３ｄには、電源部７０が取り付けられる。
【００４１】
（電源部）
電源部７０は、点灯部７６と、点灯部７６を保持する保持部材７７とを有する。点灯部７６は、第２基板としての基板７５および基板７５に実装された複数の点灯部品７４を収容する箱形状の部材である。電源部７０は、交流電源から供給された交流電力を直流電力に変換して出力する。交流電源は、例えば商用電源である。
【００４２】
点灯部７６は、基板７５上の配線パターンおよび図示しない配線により複数の発光素子６２に接続されている。点灯部７６は、複数の発光素子６２に対して直流出力を供給するとともに、複数の発光素子６２の点灯を制御する。
【００４３】
点灯部７６は、厚み方向（Ｚ軸方向）の端部に位置する底面７１と、幅方向（Ｘ軸方向）の両端に位置する側面７３と、底面７１と側面７３との間に位置する傾斜部７２とを有する。傾斜部７２は、支持部材６３の支持部６３ｃを介してくびれ部５１ｂの内面で支持される。このように点灯部７６がくびれ部５１ｂの内面で支持される形状を有することにより、カバー部材５１の内部空間を有効に活用することができ、例えば、照明装置１を小型化することができる。
【００４４】
基板７５は、複数の点灯部品７４よりも天井面１００側に配置される。このため、発光部６０で発生する熱と電源部７０で発生する熱とを離れた位置で放熱させることができ、放熱性を向上することができる。このとき、発光部６０と電源部７０との間に空間Ｓ２を有することで、放熱性をさらに向上することができる。
【００４５】
保持部材７７は、例えば、金属製の放熱部材であり、点灯部７６から伝わった熱を放熱する。また、保持部材７７は、幅方向（Ｘ軸方向）の両端に長さ方向に沿って延びる取付部７８を有する。取付部７８は、支持部材６３の電源取付部６３ｄに取り付けられることにより、発光部６０および電源部７０が一体化される。
【００４６】
（その他の構成）
図２に示すように、照明部５０は、補強部材９０をさらに有してもよい。補強部材９０は、例えば金属製または樹脂製の棒状または線状の部材であり、カバー部材５１の幅方向の両端を挟み込むとともに端部をくびれ部５１ｂに引掛けるように配置される。例えば取付部１０を天井面１００に取り付けると、カバー部材５１に収容された発光部６０や電源部７０の自重によりカバー部材５１が変形し、所望の照射特性が得られない場合がある。そこで、補強部材９０を配置することでカバー部材５１の強度を高め、カバー部材５１の変形を低減することができる。補強部材９０は、例えば複数の基板６１を長さ方向に配列させる態様において特に有用である。なお、使用する補強部材９０は、１または複数であってもよく、使用しなくてもよい。
【００４７】
［発光部および電源部の一体化］
図４は、照明部の内部構成を示す分解斜視図である。支持部材６３は、電源取付部６３ｄの内面に複数の凹部６６を有する。一方、保持部材７７は、複数の凹部６６に対応する取付部７８の外面に複数の凸部７９を有する。支持部材６３および保持部材７７を互いに近づけ、複数の凹部６６に複数の凸部７９を係合させることにより、発光部６０および電源部７０が一体化される。なお、支持部材６３および保持部材７７の一体化は図示した形態に限らず、例えば支持部材６３が凸部を、保持部材７７が凹部を、それぞれ有してもよい。
【００４８】
また、図４に示す例では、保持部材７７は、支持部材６３よりも長さ方向の寸法が小さい。このため、保持部材７７を配設させる自由度が高まる。すなわち、図示した例では、保持部材７７は支持部材６３のＹ軸負方向側に配設させたが、これに限らず、Ｙ軸正方向側に配設させてもよい。また、保持部材７７を含む電源部７０を、Ｙ軸方向の全体にわたって支持部材６３と一体化するように配設させてもよい。
【００４９】
［保持金具の接続］
次に、保持金具８０、８１（図２参照）の接続について、図４を用いてさらに説明する。図４に示すように、支持部材６３は、接続部６３ｂの長さ方向（Ｙ軸方向）の両端部を貫通するガイド穴６３ｅを有する。保持金具８０および図示しない保持金具８１は、ガイド穴６３ｅに対応する位置に突出部８２を有する。ガイド穴６３ｅおよび突出部８２は、一対の係止機構の一例である。ガイド穴６３ｅおよび突出部８２を互いに係止させることにより、照明部５０および保持金具８０、８１が接続される。このとき、図示するように突出部８２のＹ軸方向の寸法に対し、ガイド穴６３ｅのＹ軸方向の寸法を大きくすると、熱による支持部材６３の長さ方向の変形を緩衝することができる。
【００５０】
［閉塞部材の固定］
次に、閉塞部材５２、５３の固定について、図５を用いて説明する。図５は、第１の実施形態に係る照明装置を示す側面図である。なお、理解の容易のため、図５では側板４１の図示を省略している。
【００５１】
図５に示すように、閉塞部材５３は、第１部位５３ａと、くびれ部位としての第２部位５３ｂと、第３部位５３ｃとを有する。第１部位５３ａ、第２部位５３ｂおよび第３部位５３ｃはそれぞれ、カバー部材５１の電源収容部５１ａ、くびれ部５１ｂ、拡散部５１ｄに対応するように形成されている。閉塞部材５２（図２参照）および閉塞部材５３は、止水パッキン５４、５５（図２参照）を挟むようにカバー部材５１の長さ方向（Ｙ軸方向）の両端を塞ぎ、複数のネジ部材５７で固定される。ネジ部材５７は、第１部位５３ａの中央を固定するネジ部材５７ａと、第２部位５３ｂに幅方向に並ぶ２つのネジ部材５７ｂ、５７ｃとを含む。このように第１部位５３ａおよび第３部位５３ｃと比較して幅方向の寸法が小さい第２部位５３ｂを２つのネジ部材５７ｂ、５７ｃで固定し、さらに天井面１００側の第１部位５３ａをネジ部材５７ａで固定することにより、例えば閉塞部材５３の撓みによる防湿性の低下を抑制することができる。
【００５２】
なお、閉塞部材５３には、配線孔５６が形成されている。配線孔５６は、電源部７０（点灯部７６）に対して電力を供給するための配線を挿通し、カバー部材５１の内部に引き込むための開口である。配線孔５６は、ネジ部材５７の外側に配置されることで、ネジ部材５７の装着時における断線などの不具合を防止する。なお、図５では、３つの配線孔５６を有するとして図示したが、これに限らず、１、２、または４以上の配線孔５６を有してもよい。また、配線孔５６は、閉塞部材５３のみに配置されてもよく、閉塞部材５２、５３の両方に配置されてもよい。
【００５３】
なお、固定化部材５８は、閉塞部材５３に側板４１を取り付けるために使用される。固定化部材５８は、閉塞部材５３のＺ軸正方向側から側板４１に形成された貫通孔４１ａ（図２参照）に挿通され、閉塞部材５３と側板４１とが固定される。固定化部材５８を挿通させるための開口は、封止ブッシュ５９で封止される。
【００５４】
［第２、第３の実施形態］
図６は、第２および第３の実施形態に係る照明装置が有する筐体の構成の一例を模式的に示す斜視図である。図６（ａ）は、第２の実施形態に係る筐体５Ａを、図６（ｂ）は、第３の実施形態に係る筐体５Ｂを、それぞれ図示している。
【００５５】
図６（ａ）に示すように、反射部３０が照射面側に向かって傾斜するように配置された筐体５Ａを適用してもよい。筐体５Ａには、収容部２０の長さ方向の両端２０１から所定の長さＬ１を有する欠損部２１Ａを設けることができる。欠損部２１Ａは、閉塞部材５２、５３と接触または近接する位置に配置される。欠損部２１Ａには、反射部３０を有しないため、筐体５と閉塞部材５２、５３との緩衝による変形や防湿性の低下等の不具合を防止することができる。
【００５６】
また、図６（ｂ）に示すように、反射部３０を有しない筐体５Ｂを適用してもよい。かかる場合、閉塞部材５２、５３と接触または近接する収容部２０の長さ方向の両端２０１に切欠部２１Ｂを設け、筐体５と閉塞部材５２、５３との緩衝による変形や防湿性の低下等の不具合を防止することができる。
【００５７】
なお、図６（ａ）、図６（ｂ）において、取付部１０と収容部２０とのなす角度θ３は、例えば９０°とすることができるが、これに限らず、例えば鋭角または鈍角であってもよい。
【００５８】
上述したように、実施形態に係る照明装置１は、照明部５０と筐体５とを具備する。照明部５０は、複数の発光素子６２を有する。筐体５は、板状であり、第１部分（取付部１０）と、一対の第２部分（収容部２０）と、一対の第３部分（反射部３０）とを有する。第１部分は、取付面（天井面１００）に対向して配置される。一対の第２部分は、第１部分の幅方向の両端から幅方向に交差する厚み方向に屈曲し、照明部５０を収容する。一対の第３部分は、一対の第２部分の各端部から取付面側に屈曲する。筐体５は、取付面側の幅方向の寸法Ａが、厚み方向の寸法Ｂよりも大きく、取付面と第３部分とのなす第１角度θ１が、第２部分と第３部分とのなす第２角度θ２よりも大きい。これにより、照明装置１の特に幅方向の形状を小型化することができる。また、かかる形状を有する筐体５は、例えば小型化や長尺化した場合であっても成形が容易である。このため、汎用性を向上させることができる。
【００５９】
また、実施形態に係る照明部５０は、筐体５から厚み方向に突出するカバー部材５１を有し、筐体５から突出するカバー部材５１の幅方向の端面５１ｃと取付面とは、第１角度θ１とは異なる角度をなす。これにより、例えば、照明装置１の演色効果を高めることができる。また、筐体５に対する照明部５０の取り外しが容易になる。このため、汎用性を向上させることができる。
【００６０】
また、実施形態に係る照明装置１は、複数の発光素子６２と、基板６１と、支持部材６３と、点灯部７６とを具備する。基板６１は、複数の発光素子６２を実装する。支持部材６３は、基板６１を一面側に配設させる保持部６３ａを有する。点灯部７６は、保持部６３ａの背面側から離間して配設され、複数の発光素子６２を点灯させる。これにより、発光部６０の放熱性の低下が抑制され、汎用性を向上させることができる。
【００６１】
また、実施形態に係る照明装置１は、点灯部７６を保持し、保持部６３ａよりも長さ方向の寸法が小さい保持部材７７を具備する。これにより、保持部材７７を配設させる自由度が高まる。
【００６２】
また、実施形態に係る点灯部７６は傾斜部７２を有し、支持部材６３と厚み方向に重なり合って配設されている。支持部材６３は、傾斜部７２に沿って長さ方向に延びる支持部６３ｃを有する。これにより、放熱性を向上することができ、汎用性を向上させることができる。
【００６３】
また、実施形態に係る照明装置１は、発光部６０と、電源部７０と、カバー部材５１と、筐体５とを具備する。発光部６０は、複数の発光素子６２と、複数の発光素子６２を実装する第１基板（基板６１）と、第１基板を支持する支持部材６３とを有する。電源部７０は、複数の点灯部品７４および複数の点灯部品７４を実装する第２基板（基板７５）を含み、複数の発光素子６２を点灯させる点灯部７６と、点灯部７６を保持する保持部材７７とを有する。カバー部材５１は、発光部６０および電源部７０を収容する。筐体５は、取付面（天井面１００）に取り付けられる第１部分（取付部１０）と、カバー部材５１を保持する第２部分（収容部２０）とを有する。第２基板は、複数の点灯部品７４よりも取付面側に配置される。これにより、放熱性を向上することができ、汎用性を向上させることができる。
【００６４】
また、実施形態に係るカバー部材５１は、筒状部材であり、拡散部５１ｄと、電源収容部５１ａと、くびれ部５１ｂとを有する。拡散部５１ｄは、複数の発光素子６２から照射された光を拡散して出射させる。電源収容部５１ａは、拡散部５１ｄよりも取付面側に配置され、電源部７０を収容する。くびれ部５１ｂは、拡散部５１ｄと電源収容部５１ａとの間に配置され、拡散部５１ｄおよび電源収容部５１ａよりも幅方向の寸法が小さい。電源部７０は、くびれ部５１ｂの内面で支持される傾斜部７２を有する。これにより、カバー部材５１の内部空間を有効に活用することができ、例えば、照明装置１を小型化することができる。
【００６５】
また、実施形態に係る照明装置１は、一対の閉塞部材５２、５３を具備する。一対の閉塞部材５２、５３は、カバー部材５１の長さ方向の両端を塞ぎ、複数のネジ部材５７で固定される。ネジ部材５７は、くびれ部５１ｂに対応する閉塞部材５２、５３のくびれ部位（第２部位５３ｂ）に幅方向に並ぶ２つのネジ部材５７ｂ、５７ｃを含む。これにより、防湿性の低下を抑制することができる。
【００６６】
また、実施形態に係る照明装置１は、支持部材６３の長さ方向の両端に配置された一対の保持金具８０、８１を具備する。支持部材６３および保持金具８０、８１は、支持部材６３の長さ方向の変形を緩衝する一対の係止機構（ガイド穴６３ｅ、突出部８２）を有する。これにより、防湿性の低下や照明装置１の不可逆的な変形を抑制することができる。
【００６７】
なお、上記した各実施形態では、照明装置１は天井直付けタイプとして説明したが、これに限らず、例えば埋め込みタイプまたは吊り下げタイプであってもよい。また、照明装置１は天井面１００ではなく、例えば壁面に取り付けられてもよい。
【００６８】
本発明の各実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００６９】
１  照明装置
１０  取付部
５、５Ａ、５Ｂ  筐体
２０  収容部
２１Ａ  欠損部
２１Ｂ  切欠部
３０  反射部
３１、３２  切欠部
４０、４１  側板
４１ａ  貫通孔
５０  照明部
５１  カバー部材
５１ａ  電源収容部
５１ｂ  くびれ部
５１ｃ  端面
５１ｄ  拡散部
５２、５３  閉塞部材
５３ａ  第１部位
５３ｂ  第２部位
５３ｃ  第３部位
５４、５５  止水パッキン
５６  配線孔
５７  ネジ部材
５８  固定化部材
５９  封止ブッシュ
６０  発光部
６１  基板
６２  発光素子
６３  支持部材
６３ａ  保持部
６３ｂ  接続部
６３ｃ  支持部
６３ｄ  電源取付部
６３ｅ  ガイド穴
６６  凹部
７０  電源部
７１  底面
７２  傾斜部
７３  側面
７４  点灯部品
７５  基板
７６  点灯部
７７  保持部材
７８  取付部
７９  凸部
８０、８１  保持金具
８２  突出部
９０  補強部材
１００  天井面
【図１】
2020119754.tif 000003
【図２】
2020119754.tif 000004
【図３】
2020119754.tif 000005
【図４】
2020119754.tif 000006
【図５】
2020119754.tif 000007
【図６】
2020119754.tif 000008